(57)【要約】【課題】簡単に調理をすることができる誘導加熱調理器を提供する。【解決手段】複数の調理工程Ｋからなり自動で調理工程Ｋが進む機能を有した自動メニューを選択するメニュー設定手段３４と、自動メニューでの自動調理工程終了後の動作を選択する手段と、自動メニューに基づいて使用者に調理工程Ｋを報知する報知手段Ｐと、メニュー設定手段３４で選択した自動メニューで調理工程Ｋに応じて報知手段Ｐから調理工程Ｋを報知し、温度検出素子２０の検知結果からインバータ回路１８を制御して鍋２６を加熱する制御手段１９とを備え、制御手段１９は、報知手段Ｐを用いて使用者に調理工程Ｋの切り替わるタイミングを報知し、自動調理工程終了と同時に自動で加熱を停止することなく、自動調理工程終了後の動作を選択する手段を用いて使用者が自動調理工程終了後の動作を選択できる誘導加熱調理器。【選択図】図１０
2019029149.tif 000002
【特許請求の範囲】
【請求項１】
鍋を載置するプレートと、
前記プレートの下方に前記鍋を加熱する加熱コイルと、
前記鍋の温度を検知する温度検知素子と、
前記加熱コイルに電力を供給するインバータ回路とを有する誘導加熱調理器であって、
複数の調理工程を自動で行う機能を有した自動メニューを選択するメニュー設定手段と、
前記自動メニューでの調理工程終了後の動作を選択する手段と、
前記自動メニューに基づいて使用者に前記調理工程を報知する報知手段と、
前記メニュー設定手段で選択した前記自動メニューで前記調理工程に応じて前記報知手段から前記調理工程を報知し、前記温度検知素子の検知結果から前記インバータ回路を制御して前記鍋を加熱する制御手段とを備え、
前記制御手段は、前記報知手段を用いて使用者に前記調理工程の切り替わるタイミング
を報知し、
使用者が前記調理工程終了後の動作を選択する手段を用いて調理工程終了後の動作を選択できることを特徴とする、誘導加熱調理器。
【発明の詳細な説明】
【技術分野】
【０００１】
本発明は、自動調理工程終了後の動作を手間なく選択可能とすることで、使い勝手を向上した誘導加熱調理器に関する。
【背景技術】
【０００２】
調理する場合、普段料理をしない人にとっては、調理工程のタイミングがわかり難いものである。例えばハンバーグを調理する場合、片面を焼いた後に裏返すタイミングや仕上がりのタイミングがわかり難いものである。またギョーザを調理する場合は、水を入れた後にふたをして蒸し、最後にふたを外して余分な水分を飛ばす方法では、ふたを外すタイミングが難しいものである。
【０００３】
特許文献１には、使用者が操作するタイミングを事前に知らせ、使用者が焼き具合を確認して残り時間を調整することで、調理する被加熱物の大きさや具材の違いに柔軟に対応しながら、使用者の好みに応じて、最適な出来栄えに仕上げる自動調理機能を備えた加熱調理器が開示されている。
【先行技術文献】
【特許文献】
【０００４】
【特許文献１】特開２０１４−１６４８３７号公報
【発明の概要】
【発明が解決しようとする課題】
【０００５】
上記した加熱調理器では、事前に知らせてくれる報知に従って使用者が調理具合を確認し、例えば加熱不足と感じた時は残りのタイマー時間を延長し、延長したタイマー時間終了時に自動で加熱を停止する。この場合、普段料理をしない人にとっては、加熱不足と感じても加熱時間を何分延長すると良いかの判断が出来ないという課題がある。
【０００６】
また、自動調理工程終了と同時に自動で加熱を停止してしまうため、延長した加熱時間でも加熱不足だった場合にさらに追加加熱したい場合、あるいは、自動調理工程終了後に続けて別の調理を行いたい場合には、使用者は機器の操作を最初の手順からやり直す必要があるため、再操作、再加熱のために手間がかかり調理時間が延長してしまうという課題がある。
【課題を解決するための手段】
【０００７】
本発明は、上記の課題を解決するためになされたものであり、例えば特許請求の範囲に記載された構成により達成される。
【発明の効果】
【０００８】
本発明によれば、自動調理工程終了後に追加加熱を行う場合や、あるいは続けて別の調理を行う場合などに、機器の操作を最初の手順からやり直す必要がなく使いやすい。
【図面の簡単な説明】
【０００９】
【図１】一実施例の誘導加熱調理器をシステムキッチンに組込んだ外観斜視図である。
【図２】一実施例の誘導加熱調理器の上面を示す説明図である。
【図３】一実施例の誘導加熱調理器のプレートを取外した説明図である。
【図４】一実施例の誘導加熱調理器の制御ブロック図である。
【図５】一実施例の誘導加熱調理器の上面操作部右と上面表示部右を示す説明図である。
【図６】一実施例の誘導加熱調理器の自動メニューの焼き物で鍋を予熱中の状態を上面操作部右と上面表示部右を示す説明図である。
【図７】一実施例の誘導加熱調理器の自動メニューの焼き物で鍋の温度が適温になった状態を上面操作部右と上面表示部右を示す説明図である。
【図８】一実施例の誘導加熱調理器の自動メニューで自動調理工程開始時の上面操作部右と上面表示部右を示す説明図である。
【図９】本実施例の調理工程の説明図である。
【図１０】本実施例の自動調理工程終了後の動作選択手段のフローチャートである。
【発明を実施するための形態】
【００１０】
本発明の一実施例の誘導加熱調理器を図１〜図４に基づいて詳細に説明する。
【００１１】
図１に示すように、誘導加熱調理器の本体２は、システムキッチン１の上面から落とし込んで設置される。設置後は後述するロースター（グリル）４と操作パネル５がシステムキッチン１の前面部から操作できるようになっている。
【００１２】
鍋２６は、本体２の上面に配置された耐熱ガラス等からなるプレート３の載置部６に載置される。載置部６は、プレート３の上面手前に載置部右６ａと載置部左６ｂが配置され、これら両載置部６ａおよび６ｂの間の奥（中央後部）に載置部中央６ｃが配置されている。そして、図３に示すように、各載置部６の下に鍋２６を加熱するための加熱コイル１３がそれぞれ設置されている。
【００１３】
ロースター４は魚やピザ等を焼くためのもので、本体２前面部の左側もしくは右側に配置されている。本実施例では本体２前面に向かって左に配置されている。また、魚焼き専用ではないので、このロースター４をグリル若しくはオーブンと呼ぶこともある。
【００１４】
本体２内部には、加熱コイル１３や、後述するインバータ回路１８を搭載したインバータ基板が設けられており、図２に示すように、これらを冷却するために本体２の外部から空気を吸込むための吸気口７が設けられている。吸気口７で吸入した空気は、本体２内部で発熱する加熱コイル１３やインバータ基板を冷却した後、冷却風の流れ１６に示すように排気口８から本体２外に排出される。また、この排気口８からは、後述するロースター４の廃熱も排出される。
【００１５】
次に加熱コイルユニット２５について説明する。加熱コイルユニット２５は、加熱コイル１３とコイルベース２４とフェライト（図示せず）から構成されている。各加熱コイルユニット２５は夫々の載置部６の下方に配置され、載置部右６ａの下方には加熱コイルユニット右２５ａが、載置部左６ｂの下方には加熱コイルユニット左２５ｂが、載置部中央６ｃの下方には加熱コイルユニット中央２５ｃが設けられている。
【００１６】
コイルベース２４は、加熱コイル１３を下から固定すると共に、コイルベース２４にはフェライトが埋設されている。加熱コイルユニット２５は、各載置部６のプレート３の下方であって、プレート３と加熱コイル１３との間に一定の隙間が開くように設置されている。この隙間に冷却風を流して、発熱する加熱コイル１３や加熱された鍋２６から受熱するプレート３の熱から加熱コイルユニット２５を冷却している。
【００１７】
加熱コイルユニット２５に設置された温度検知素子２０である温度検知素子Ａ２１と温度検知素子Ｂ２２により、鍋２６の温度検知が行われ、検知した鍋２６の温度は自動メニューの自動調理などに用いられる。
【００１８】
温度検知素子２０は鍋２６底の温度を検出するためにプレート３の下方に設け、鍋２６底の温度をプレート３を介して間接的に検出している。温度検知素子Ａ２１は加熱コイルユニット右２５ａと加熱コイルユニット左２５ｂの各加熱コイル１３のコイル間に設置し、温度検知素子Ｂ２２は加熱コイルユニット右２５ａと加熱コイルユニット左２５ｂと加熱コイルユニット中央２５ｃの各加熱コイル１３のコイル中央に設置している。
【００１９】
鍋２６には、底の中央が浮いているものが有り、中央より外側のほうが加熱されて変化する温度を敏感に測定できるので、火力の大きい加熱コイルユニット右２５ａと加熱コイルユニット左２５ｂには夫々温度検知素子２０を２ヶ所設けている。なお、温度検知素子２０は、検知温度によって抵抗値が変化するサーミスタでも良いし、鍋２６から放射される赤外線を検出して電圧を発生する赤外線センサでも良い。
【００２０】
基板ケース１５内には加熱コイル１３に電源を供給するインバータ回路１８や温度検知素子２０により検知した温度に応じて加熱手段２３への出力を制御する制御手段１９等の回路が納められている。
【００２１】
上面操作部９は載置部右６ａ側の加熱コイル右１３ａの火力等を入力する上面操作部右９ａと載置部左６ｂ側の加熱コイル左１３ｂの火力等を入力する上面操作部左９ｂと載置部中央６ｃ側の加熱コイル１３ｃの火力等を入力する上面操作部中央９ｃから成っている。上面表示部１０は上面操作部９の各操作部に対応して上面表示部右１０ａ，上面表示部左１０ｂ，上面表示部中央１０ｃと配置され、各上面操作部９で入力された内容を表示する。
【００２２】
図４を用いて本発明の誘導加熱調理器の制御を説明する。
【００２３】
２６は被加熱物の金属性の鍋やフライパンであって、本明細書では鍋２６にフライパン、及び同様の機能を有する調理器具も含むものとする。１３は鍋２６を加熱するための加熱コイルで、加熱コイル１３の巻線は表皮効果を抑制するためリッツ線を採用している。１８は鍋２６を加熱するために加熱コイル１３に電力を供給するインバータ回路で、具体的には数十ｋＨｚ、数百Ｖの電圧を印加する。なお、加熱コイル１３とインバータ回路１８を合わせて加熱手段２３と呼ぶ。
【００２４】
３１は火力設定手段で、火力を設定するときに使用者が操作するものである。
【００２５】
３４はメニュー設定手段で、用意された複数の自動メニューの中から一つの自動メニューを選択するときに使用者が操作するものであって、具体的には、焼き物調理や揚げ物調理を自動制御するために事前に組み込まれたメニュー群の中から使用するメニューを選択するものである。
【００２６】
１７は表示手段でメニュー設定手段３４によって選択されたメニューと自動調理の進行状態などの表示部４１（図５）と、火力設定手段３１の設定内容を表示（ランプ３６〜３９，図５）するものである。
【００２７】
１９は制御手段で、大きく３つの機能を果たす。第１の機能は、火力設定手段３１によって設定された火力となるようにインバータ回路１８を制御する機能である。
【００２８】
第２の機能は、メニュー設定手段３４によって選択された自動メニューに対応して鍋の温度を制御するためインバータ回路１８を制御する機能である。これを実現するため、制御手段１９には複数の自動メニューに対応した鍋の加熱温度が予め記憶されており、温度検知素子２０によって観測される鍋温度と、記憶された加熱温度の差に応じて加熱手段２３を制御している。
【００２９】
第３の機能は、表示手段１７を制御する機能であって、例えば、メニュー設定手段３４で入力されたメニューや調理の進行状況や自動調理時に於ける調理工程のタイミング、火力設定手段３１で入力された内容を表示手段１７に表示したりするものである。
【００３０】
報知手段Ｐは、図１の操作パネル５の内部に収納し、音声など音を発するスピーカである。
【００３１】
次に、図５に示す上面操作部右９ａと上面表示部右１０ａを例に、表示手段１７と火力設定手段３１とメニュー設定手段３４を具体的に説明する。なお、上面操作部左９ｂと上面表示部左１０ｂは同等の構成であるので説明は省略する。
【００３２】
上面表示部右１０ａは、表示部４１を備え、表示４１ａと表示４１ｂに分けられる。表示４１ａには火力設定手段３１で入力される火力やメニュー設定手段３４で入力されるメニューや経過時間等が表示されている。表示４１ｂにはメニュー設定手段３４で入力されたメニューの中で、鍋２６を予熱して、鍋２６の温度が適温に達した時に食材の投入タイミングを知らせることができるように「予熱中」と「適温」の表示を行う。
【００３３】
ランプ３５〜４０はＬＥＤ等からなり、ランプ３５は切・スタートキー３０が押され加熱開始が入力されると点灯する。ランプ３６〜３９は火力設定手段３１で設定した火力のランプが点灯する。ランプ４０は火力調整手段３２が有効時に点滅して知らせる。
【００３４】
３３はハンバーグや煮込みや保温などタイマー機能を使った調理を実施するときに加熱時間を選択するタイマーキーである。
【００３５】
メニュー設定手段３４を操作すると、事前に組み込まれた自動メニューが表示４１ａに表示される。メニュー設定手段３４を押すたびにメニューが切り替わり表示されるので、使用者は所望のメニューが表示されるまで、メニュー設定手段３４を操作する。自動メニューが表示されているときに切・スタートキー３０を操作すると自動調理が開始される。
【００３６】
本実施例は以上の構成よりなるもので、次にその動作について図６〜図９を使用して説明する。
【００３７】
初めに図９について説明する。図９は、自動メニューのハンバーグの調理を実施した時の制御手段の動きと使用者の動きを示した説明図である。
【００３８】
図は、各項目に対して各工程の推移を示すもので、項目Ｓは使用者の操作を示し、項目Ｈは表示部の表示を示し、上段は表示４１ｂの表示を示し、下段は表示４１ａの表示を示す。項目Ｐは報知手段Ｐの報知のタイミングを示し、項目Ｋは調理工程の推移を示し、項目Ｄは被加熱物である鍋を加熱する制御温度を示し、項目Ｊは各調理工程の時間を示している。
【００３９】
次に、前述した項目を自動メニューに備えたハンバーグを焼く場合を例に制御手段１９で制御する内容を以下説明する。
【００４０】
ハンバーグを焼く調理工程Ｋは、調理工程Ｋ１〜Ｋ５の５個の調理工程からなり、調理工程Ｋ１は鍋２６を予熱する工程である。調理工程Ｋ２は鍋２６の予熱が完了し具材（ハンバーグのタネ）が入れられるまで鍋２６の温度を保持し待機する工程である。調理工程Ｋ３はハンバーグの一方の面を焼きあげる工程で、調理工程Ｋ４はハンバーグの他方の面を焼きあげる工程である。調理工程Ｋ５は、自動調理工程終了後の動作が選択されるまで待機する工程であり、焼き具合に応じて以降の動作を選択することができる。焼き具合が良好であればその時点で切・スタートキー３０を押し加熱を停止することができる。無操作であれば所定時間はそのままの加熱を継続するため、調理中メニューの加熱不足の場合の追加加熱や、同じ設定温度で調理時間の短い別メニューの調理、例えば、ハンバーグのタネを焼いた後にソースも続けて調理するなども可能である。また、メニュー設定手段３４を押すことで、設定温度の変更が可能で所定時間設定のない温調制御に移行するため、調理中メニューに続けて、異なる設定温度で調理時間の長い別メニューの調理、例えば、ハンバーグを調理した後に付け合せの野菜を調理するなども可能である。調理工程Ｋ１から調理工程Ｋ２、調理工程Ｋ３から調理工程Ｋ５は自動で調理工程が移行する。
【００４１】
鍋２６を加熱する制御温度Ｄは、調理工程Ｋ１〜Ｋ３までは制御温度Ｄ１、調理工程Ｋ４〜Ｋ５は制御温度Ｄ２である。具体的には制御温度Ｄ１は１８０℃、制御温度Ｄ２は１４０℃である。
【００４２】
調理時の表示Ｈは、表示部４１ｂで表示する内容として、調理工程Ｋ１の時は鍋２６の予熱を行っていることが分かるように表示Ｈ１で示す「予熱」を表示し、調理工程Ｋ２の時は鍋２６の予熱が終了したことが分かるように表示Ｈ１の表示に替わって表示Ｈ２で示す「適温」を表示する。
【００４３】
また、表示部４１ａで表示する内容として、調理工程Ｋ１とＫ２では鍋２６の加熱制御温度である表示Ｈ３で示す「１８０」を表示し、調理工程Ｋ３とＫ４では、それぞれの加熱時間の残時間である表示Ｈ４とＨ５を表示する。調理工程Ｋ３の所定時間が５分間の場合、表示Ｈ４は調理工程Ｋ３開始時を「５：００」として１秒が経過すると「４：５９」と表示する。表示Ｈ５も同様に調理工程Ｋ４の残時間を表示する。各調理工程の残時間が一目で使用者にわかる表示としている。調理工程Ｋ５では、自動調理工程が終了したことが分かるように表示Ｈ５の残時間表示に替わって、調理工程Ｋ４〜Ｋ５の鍋２６の加熱制御温度である表示Ｈ６で示す「１４０」を表示する。
【００４４】
時間Ｊは、各調理工程の管理時間で、時間Ｊ１はハンバーグのタネを入れて使用者がタイマーキー３３を入力してからハンバーグの一方の面を焼きあげる調理工程Ｋ３の時間であり、時間Ｊ２は該一方の面の焼きあがり後に裏返ししてから他方の面を焼きあげる調理工程Ｋ４の時間である。具体的には時間Ｊ１が５分、時間Ｊ２が９分である。また時間Ｊ１とＪ２はそれぞれの工程の終了を報知する報知手段の報知Ｐ５とＰ７と、それぞれの工程の終了を事前に報知する報知手段の報知Ｐ４とＰ６の報知タイミングの管理時間でもある。
【００４５】
この管理時間は事前に確認した時間で、時間Ｊ１はハンバーグの一方の面に焼き色がつくであろう裏返しのタイミングの時間、時間Ｊ２は他方の面にも焼き色がついて焼きあがり、加熱を終了しても良いであろうタイミングの時間で決めている。時間Ｊ３は、自動調理工程終了後の動作が選択されるまで待機する調理工程Ｋ５の時間である。具体的には５分であり、無操作のまま時間Ｊ３を経過すると切り忘れ防止機能により加熱を停止する。
【００４６】
報知手段の報知Ｐの詳細は以下のとおりである。調理開始の予熱を開始した時の報知Ｐ１「右ヒーターの予熱を開始しました適温になるまでお待ちください」の報知。予熱が終了した時の報知Ｐ２「予熱が完了しました食材を入れ、タイマーキーを押してください」の報知。使用者が食材を投入しタイマーキーを押した時の報知Ｐ３「調理を開始しました。調理の目安時間は約１４分、裏返しまでは約５分です」の報知。この報知Ｐ１〜Ｐ３は次の操作手順などを報知するものである。
【００４７】
次に調理工程Ｋ３の終了の所定時間前に報知Ｐ４「右ヒーターのまもなく裏返し目安時間です。焼き具合を確認し、よろしければ食材を裏返してフタをしてください」の報知。調理工程Ｋ３が終了した時の報知Ｐ５「右ヒーターの裏返し目安時間になりました。裏面の目安時間は約９分です」の報知。調理工程Ｋ４の終了の所定時間前に報知Ｐ６「右ヒーターのまもなく焼きあがり目安時間です。焼き具合を確認し、よろしければ調理を終了してください」の報知。調理工程Ｋ４が終了した時の報知Ｐ７「右ヒーターの焼きあがり目安時間になりました。焼きが足りない場合はこのまま約５分間、調理を継続できます。メニューキーを押すと、適温調理「焼き物」で調理できます」の報知。この報知Ｐ４〜Ｐ７は、使用者に調理の進行を知らせる目的と、食材の焼き具合を確認してもらい使用者の判断で食材の加熱を決定してもらうための報知である。
【００４８】
使用者の自動調理工程終了後の動作選択によって報知Ｐ８の内容は変更する。機器の加熱停止の操作を行った時は「加熱を停止しました」の報知、無操作のまま時間Ｊ３を経過した時は「切り忘れ防止機能が働いたため、右ヒーターの加熱を止めました」の報知、メニュー設定手段３４を押し温調制御に移行した時は「適温調理「焼き物」に切り替えました」の報知をする。
【００４９】
次に使用者による操作を含めた制御手段１９の動作（制御）を説明する。使用者は加熱に使用する鍋２６（フライパン）を載置部６に載置して、表示４１ａを見ながらメニュー設定手段３４を押して自動メニューの「ハンバーグ」を選択する。自動メニューを選択するとランプ３５が点滅して切・スタートキー３０が有効になったことを知らせるランプ３５が点滅する。
【００５０】
使用者が操作Ｓ１である切・スタートキー３０を押すことで予熱工程である調理工程Ｋ１が開始される。予熱工程が開始すると、表示部４１ｂに予熱を行っていることが分かるように表示Ｈ１で示す「予熱」と、表示部４１ａに鍋２６の加熱制御温度が分かるように表示Ｈ３で示す「１８０」を表示する。また報知手段Ｐより報知Ｐ１「右ヒーターの予熱を開始しました適温になるまでお待ちください」の報知が行われる。
【００５１】
鍋２６の温度が加熱制御温度に到達すると、予熱が終了した報知Ｐ２「予熱が完了しました食材を入れ、タイマーキーを押してください」の報知が行われ、表示部４１ｂの表示が「予熱」から表示Ｈ２の「適温」に替わり、調理工程も自動に調理工程Ｋ１から調理工程Ｋ２へ替わる。
【００５２】
使用者が操作Ｓ２でハンバーグのタネを鍋２６に投入し、操作Ｓ３でタイマーキー３３を入力する。
【００５３】
操作Ｓ３でタイマーキー３３を入力されると、報知Ｐ３「調理を開始しました。調理の目安時間は約１４分、裏返しまでは約５分です」の報知が行われ、調理工程は調理工程Ｋ２から調理工程Ｋ３へ移行し、表示部４１ｂは消灯し、表示部４１ａは鍋２６の加熱制御温度を示す「１８０」に替わり、ハンバーグの一方の面を焼きあげる調理工程Ｋ３の残時間表示である表示Ｈ４で示す「５：００」を表示する。同時に調理工程Ｋ３の加熱時間と報知Ｐ４、Ｐ５を行う管理時間Ｊ１の時間管理を開始する。
【００５４】
調理工程Ｋ３の終了の所定時間前に報知Ｐ４「右ヒーターのまもなく裏返し目安時間です。焼き具合を確認し、よろしければ食材を裏返してフタをしてください」の報知をし、管理時間Ｊ１が経過すると調理工程Ｋ３に替わり調理工程Ｋ４が自動で開始する。鍋２６の加熱制御温度は制御温度Ｄ２へ変更になり、管理時間も管理時間Ｊ２の時間管理が開始する。また報知手段Ｐからは報知Ｐ５「右ヒーターの裏返し目安時間になりました。裏面の目安時間は約９分です」が報知される。
【００５５】
使用者はこの報知により調理の進行を把握し、ハンバーグの焼き具合を確認しながら調理を進めることができる。焼き具合が良ければ食材を裏返し、焼きが不足と感じたら様子を見ながら加熱を続け、使用者の好みに応じて食材を裏返せば良い。調理工程Ｋ３からＫ４へは自動で移行する。
【００５６】
調理工程Ｋ４の終了の所定時間前に報知Ｐ６「右ヒーターのまもなく焼きあがり目安時間です。焼き具合を確認し、よろしければ調理を終了してください」の報知をし、管理時間Ｊ２が経過すると調理工程Ｋ４に替わり調理工程Ｋ５が自動で開始し、管理時間も管理時間Ｊ３の時間管理が開始する。報知手段からは報知Ｐ７「右ヒーターの焼きあがり目安時間になりました。焼きが足りない場合はこのまま約５分間、調理を継続できます。メニューキーを押すと、適温調理「焼き物」で調理できます」の報知が行われる。調理工程Ｋ５では鍋２６の加熱制御温度は制御温度Ｄ２のまま食材の加熱は継続される。
【００５７】
報知Ｐ６、Ｐ７の報知により使用者は食材の焼き具合を確認し、使用者の好みの焼き具合になるような次の動作を選択することができる。表示部４１ａに自動調理工程が終了したことが分かるように残時間表示に替わって、鍋２６の加熱制御温度である表示Ｈ６で示す「１４０」を表示する。
【００５８】
自動調理工程終了後の動作選択について、図１０を用いて説明する。自動調理工程終了後、使用者が焼き具合を良好と判断し続けて別メニューの調理も行わず加熱を停止することを選択した場合（１１２）は、操作Ｓ５で切・スタートキー３０を押し加熱を停止するため、報知Ｐ８は「加熱を停止しました」の報知がされる。使用者がそのままの加熱を継続することを選択し無操作のまま時間Ｊ３を経過した場合（１１１）は、報知Ｐ８は「切り忘れ防止機能が働いたため、右ヒーターの加熱を止めました」の報知がされる。設定温度を変更せずそのままの加熱を継続し、時間Ｊ３が経過するまでに調理が終了するような別メニューの調理、例えば、ハンバーグのソースなど続けて調理する（１０６）ことも可能である。使用者が設定温度を変更するような別メニューの調理、例えば、ハンバーグの付け合せ野菜などを続けて調理することを選択した場合（１０９）は、操作Ｓ５でメニュー設定手段３４を押し温調制御に移行するため、報知Ｐ８は「適温調理「焼き物」に切り替えました」の報知がされる。
【００５９】
図１０のフロー図を詳細に説明すると以下のとおりである。
【００６０】
自動調理工程終了後、使用者が焼き具合を仕上がりＯＫかを良好と判断し（１０１）（ｙｅｓ）、調理工程Ｋ５開始後５分（時間Ｊ３）経過しない（１０２）（Ｎｏ）で、続けて調理を行わなず（１０３）（Ｎｏ）、操作Ｓ５で切・スタートキー３０を押し（１０４）、加熱を停止するため、報知Ｐ８は「加熱を停止しました」を報知する。そして終了する（１１２）。
【００６１】
また、自動調理工程終了後、使用者が焼き具合を仕上がりＯＫかを良好と判断し（１０１）（ｙｅｓ）、使用者がそのままの加熱を継続し、無操作の状態で、調理工程Ｋ５開始後５分（時間Ｊ３）経過して（１０２）（ｙｅｓ）、報知Ｐ８は「切り忘れ防止機能が働いたため、右ヒーターの加熱を止めました」の報知がされる。そして終了する（１１１）。
【００６２】
更に、自動調理工程終了後、使用者が焼き具合を仕上がりＯＫかを良好と判断し（１０１）（ｙｅｓ）、調理工程Ｋ５開始後５分（時間Ｊ３）経過しない（１０２）（Ｎｏ）で、続けて調理を行う（１０３）（ｙｅｓ）。設定温度変更をしない（１０５）（Ｎｏ）で、そのままの加熱を継続し、別メニュー（ソースなど）調理（１０６）をする。この別メニュー（ソースなど）調理（１０６）は、調理工程Ｋ５開始後５分（時間Ｊ３）が経過するまでに行うものである。そして別メニュー（ソースなど）調理（１０６）を終わるために操作Ｓ５で切・スタートキー３０を押し（１０７）加熱を停止して終了する（１１３）。この別メニュー調理（１０６）は、例えば、ハンバーグのソースなどで、ハンバーグを焼く調理に続けて調理することも可能である。
【００６３】
そして、自動調理工程終了後、使用者が焼き具合を仕上がりＯＫかを良好と判断し（１０１）（ｙｅｓ）、調理工程Ｋ５開始後５分（時間Ｊ３）経過しない（１０２）（Ｎｏ）で、続けて調理を行う（１０３）（ｙｅｓ）。設定温度変更をするには（１０５）（ｙｅｓ）メニュー設定手段３４を押し温調制御に移行する（１０８）。そして別メニュー（付け合せ野菜など）調理（１０９）をする。これは使用者が設定温度を変更するような別メニューの調理、例えば、ハンバーグの付け合せ野菜などを続けて調理する場合である。そのため、操作Ｓ５でメニュー設定手段３４を押し温調制御に移行するため、報知Ｐ８は「適温調理「焼き物」に切り替えました」の報知がされる。やがて、別メニュー（付け合せ野菜など）調理（１０９）を終わるために操作Ｓ５で切・スタートキー３０を押し（１１０）加熱を停止して終了する（１１４）。
【００６４】
自動調理工程終了と同時に自動で加熱を停止しないため、機器を再操作する手間がなく使用者が選択した動作にスムーズに移行できる。また、焼き具合を確認した上で使用者の判断で動作を選択するため、鍋種や食材などの使用条件の違いによる仕上がりのばらつきや、使用者の好みの違いによる仕上がりのばらつきに対しても、使用者の判断で良好となる状態で調理を終えることができる。
【００６５】
食材の裏返すタイミングを報知する報知Ｐ４、調理終了のタイミングを報知する報知Ｐ６は、それぞれ調理工程Ｋ３、調理工程Ｋ４の終了の所定時間前に報知している。
【００６６】
実際の食材の裏返しや調理終了の判断は使用者に任せているが、食材がある程度加熱されると、その後の加熱による食材の加熱具合は急速に進行するため、使用者の判断が少し遅れると加熱具合が過加熱になる可能性がある。それを防止するため所定時間前に報知することで、とくに普段調理をしない人がもたついている間に焦げる事の無いように配慮している。また、調理終了を報知したタイミングで加熱不足だった場合に備え、自動調理工程終了後の動作を使用者に選択してもらうことで、加熱具合に応じた適正な追加加熱を行うことが可能となる。
【００６７】
上記した本実施例によれば、自動メニューによる自動制御により、ハンバーグの一方の面と他方の面の両面に焼き色をつけるのに適した鍋の温度の維持を容易に行えるとともに、ハンバーグの一方の面に焼き色がつくであろう裏返しのタイミングで音声案内（報知Ｐ４）し、さらに他方の面にも焼き色がついて焼き上がり、加熱が終了するであろうタイミングで音声案内（報知Ｐ６）し、使用者に焼き頃であるタイミングを知らせ、後は使用者の判断で自動調理工程終了後の動作を選択できるようにすることで、様々な要因による仕上がりのばらつきに対し、いつでも使用者の好みに合った仕上がりの美味しいハンバーグを調理することができるものである。よって前記した報知Ｐ４と報知Ｐ６は使用者に焼き具合を決めてもらうための報知でもある。また、自動調理工程終了と同時に自動で加熱を停止しないことで、使用者は機器の操作を最初の手順からやり直すことなく、以降の動作を選択することができる。
【００６８】
また、調理開始時に総調理時間を音声案内（報知Ｐ３）し、調理中に各調理工程Ｋの残時間を表示（表示Ｈ４、Ｈ５）することで、使用者は調理開始時に総調理時間を把握し、調理中は調理工程Ｋの進行を確認しながら、次の調理工程に備えることができる。
【００６９】
さらに、食材投入後の自動調理工程の間は、操作部の操作を不要としていることで、使用者は食材の加熱具合の確認に集中できるように配慮している。
【００７０】
よって、誰でも失敗なく調理ができる自動メニューにおいて、自動調理工程終了後の動作を選択する際、機器を再操作する手間をなくし使い勝手を向上している。
【００７１】
以上の調理例としてハンバーグで説明したが、鍋にギョウザと水を入れて蓋をし加熱した場合、蒸し焼き工程が終了しこの蓋を取るタイミングと、その後水が蒸発した後の焼きあげ工程における焼きあがるタイミングを前述した使用者に焼き具合を決めてもらうための報知を行う事も可能である。
【符号の説明】
【００７２】
２・・・本体、３・・・プレート、１３・・・加熱コイル、１８・・・インバータ回路、１９・・・制御手段、２０・・・温度検知素子、２６・・・鍋、３０・・・切・スタートキー、３３・・・タイマーキー、３４・・・メニュー設定手段、４１・・・表示部、報知手段・・・Ｐ、調理工程・・・Ｋ
【図１】
2019029149.tif 000003
【図２】
2019029149.tif 000004
【図３】
2019029149.tif 000005
【図４】
2019029149.tif 000006
【図５】
2019029149.tif 000007
【図６】
2019029149.tif 000008
【図７】
2019029149.tif 000009
【図８】
2019029149.tif 000010
【図９】
2019029149.tif 000011
【図１０】
2019029149.tif 000012